(57)【要約】【課題】農作物の日焼けを軽減できる葉面散布剤を提供すること。【解決手段】トレハロースと、リグニン苦土とを含むことを特徴とする葉面散布剤。葉面散布剤は、例えば、カリウム塩、及び／又はカルシウム塩を含むことができる。また、葉面散布剤は、例えば、ほう酸を含むことができる。葉面散布剤は、例えば、果樹又は野菜への使用を用途とすることができる。葉面散布剤は、例えば、それを水に溶かした水溶液を散布する方法で使用できる。【選択図】なし【特許請求の範囲】
【請求項１】
トレハロースと、リグニン苦土とを含むことを特徴とする葉面散布剤。
【請求項２】
カリウム塩、及び／又はカルシウム塩を含むことを特徴とする請求項１に記載の葉面散布剤。
【請求項３】
ほう酸を含むことを特徴とする請求項１又は２に記載の葉面散布剤。
【請求項４】
果物又は野菜への使用を用途とする請求項１〜３のいずれか１項に記載の葉面散布剤。
【発明の詳細な説明】
【技術分野】
【０００１】
本発明は、例えば、野菜、果樹等に使用できる葉面散布剤に関する。
【背景技術】
【０００２】
農作物の収量の増加や品質向上を目的として、野菜や果樹の葉面に散布する葉面散布剤が使用されている（特許文献１参照）。
【先行技術文献】
【特許文献】
【０００３】
【特許文献１】特公平６−８２４４号公報
【発明の概要】
【発明が解決しようとする課題】
【０００４】
農作物の栽培においては、それらの日焼けという問題がある。日焼けが生じると農作物が変色し、硬くなってしまう。従来の葉面散布剤は、この日焼けの問題に対し十分な効果を奏することができなかった。
【０００５】
本発明は以上の点に鑑みなされたものであり、農作物の日焼けを軽減できる葉面散布剤を提供することを目的とする。
【課題を解決するための手段】
【０００６】
本発明の葉面散布剤は、トレハロースと、リグニン苦土とを含むことを特徴とする。本発明の葉面散布剤を用いれば、農作物（例えば果実、野菜等）の日焼けを軽減することができる。
【発明を実施するための形態】
【０００７】
本発明の実施形態を説明する。本発明の葉面散布剤は、トレハロースと、リグニン苦土とから成るものであってもよいし、更に他の成分を含むものであってもよい。他の成分としては、例えば、カリウム塩、カルシウム塩、ほう酸等が挙げられる。カリウム塩としては、例えば、リン酸一カリウムが挙げられ、カルシウム塩としては、例えば、蟻酸カルシウムが挙げられる。
【０００８】
葉面散布剤の全量（固形分）を１００重量部としたとき、トレハロースの含有量は、１〜４０重量部の範囲であることが好ましい。この範囲内であることにより、農作物の日焼け軽減、生育促進、健全育成、増収効果等の効果が一層高くなる。トレハロースとしては、例えば、株式会社林原製のものを使用できる。
【０００９】
葉面散布剤の全量（固形分）を１００重量部としたとき、リグニン苦土の含有量は、１〜６０重量部の範囲であることが好ましい。この範囲内であることにより、農作物の日焼け軽減、生育促進、健全育成、増収効果等の効果が一層高くなる。
【００１０】
本発明の葉面散布剤は、種々の農作物への使用を用途することができ、例えば、果樹（例えばリンゴ、みかん、トマト等）、野菜等への使用を用途とすることができる。この場合、果実や野菜の日焼けを軽減し、生育を促進することができる。
【００１１】
本発明の葉面散布剤は、例えば、水に溶かして水溶液を調製し、その水溶液を農作物に散布する方法で使用できる。上記の水溶液は、葉面散布剤について０．０５〜１ｗｔ％の濃度を有することが好ましく、０．１〜０．２ｗｔ％の濃度を有することが一層好ましい。この濃度範囲内であることにより、農作物の日焼け軽減、生育促進、健全育成、増収効果等の効果が一層高くなる。
【００１２】
本発明の葉面散布剤は、例えば、果樹に使用する場合は、落花後に散布することが好ましく、野菜に使用する場合は、開花期に散布することが好ましい。散布時期をこのようにすることにより、農作物の日焼け軽減、生育促進、健全育成、増収効果等の効果が一層高くなる。
【００１３】
また、本発明の葉面散布剤は、２週間から１ヶ月の間隔をおいて、３回程度散布することが好ましい。この散布方法をとることにより、農作物の日焼け軽減、生育促進、健全育成、増収効果等の効果が一層高くなる。
（実施例１）
１．葉面散布剤Ｓ１の製造
以下の各成分を混合して、葉面散布剤Ｓ１を製造した。
【００１４】
トレハロース：２０重量部
リグニン苦土：３３重量部
リン酸一カリウム：５重量部
蟻酸カルシウム：４０重量部
ほう酸：２重量部
そして、この葉面散布剤Ｓ１を水に溶かして、葉面散布剤Ｓ１の濃度が０．１ｗｔ％である葉面散布剤水溶液を調製した。
【００１５】
２．葉面散布剤の使用
（１）リンゴに対する使用
落花後の時期に、上記の葉面散布剤水溶液をリンゴの果樹に散布した。散布は、３週間の間隔をおいて、３回行った。
【００１６】
その後、リンゴを評価したところ、葉面散布剤水溶液を散布した場所のリンゴは、散布しなかった場所のリンゴに比べて、日焼けが進んでおらず、生育が促進されていた。
（２）みかんに対する使用
落花後の時期に、上記の葉面散布剤水溶液をみかんの果樹に散布した。散布は、３週間の間隔をおいて、３回行った。
【００１７】
その後、みかんを評価したところ、葉面散布剤水溶液を散布した場所のみかんは、散布しなかった場所のみかんに比べて、日焼けが進んでおらず、生育が促進されていた。
（３）トマトに対する使用
開花期に、上記の葉面散布剤水溶液をトマトに散布した。散布は、３週間の間隔をおいて、３回行った。
【００１８】
その後、トマトを評価したところ、葉面散布剤水溶液を散布した場所のトマトは、散布しなかった場所のトマトに比べて、日焼けが進んでおらず、生育が促進されていた。
（実施例２）
１．葉面散布剤の製造
表１に示す各成分を混合して、葉面散布剤Ｓ１〜Ｓ６を製造した。葉面散布剤Ｓ１は、前記実施例１で製造したものと同じである。表１における各成分の配合量の単位は重量部である。
【００１９】
【表１】
2014223059.tif 000002
【００２０】
そして、葉面散布剤Ｓ１〜Ｓ６のそれぞれについて、葉面散布剤を水に溶かして、葉面散布剤の濃度が０．１ｗｔ％である葉面散布剤水溶液を調製した。以下では、葉面散布剤Ｓｉ（ｉは１〜６の自然数）を水に溶かして調製した葉面散布剤水溶液をＬｉとする。例えば、葉面散布剤Ｓ１を水に溶かして調製した葉面散布剤水溶液はＬ１である。葉面散布剤水溶液には、Ｌ１〜Ｌ６の６種類がある。
【００２１】
２．葉面散布剤の使用
トマト（品種はＣＦ桃太朗ファイト）の畑を、Ｋ１〜Ｋ７の７つの区に分けた。各区には、それぞれ、３段が含まれる。表２に示すように、Ｋ１〜Ｋ６に、それぞれ、葉面散布剤水溶液Ｌ１〜Ｌ６を散布した（葉面散布剤Ｓ１〜Ｓ６を使用した）。散布はトマトの開花期に行った。また、散布は３週間の間隔をおいて３回行った。また、Ｋ７の区では、葉面散布剤水溶液を散布しなかった（葉面散布剤を使用しなかった）。
【００２２】
【表２】
2014223059.tif 000003
【００２３】
その後、各区において、９０果（一段あたり３０果×３段）のうち、尻くされに該当する個体数、芯くされに該当する個体数、裂果に該当する個体数、及び日焼け果に該当する個体数を目視によりそれぞれ求めた。
【００２４】
なお、尻くされとは、果実の先端部分が黒くなり、腐ってしまう生理障害を意味する。また、芯くされとは、果実の内部が褐変する生理障害を意味する。また、裂果とは、果実が割れる生理障害を意味する。また、日焼け果とは、目視で評価した日焼けの程度が一定の基準を超える個体を意味する。また、各区において、市販の糖度計を用いて、果実の平均糖度を測定した。
【００２５】
評価結果を上記表２に示す。表２において、尻くされ、芯くされ、裂果、及び日焼け果の列に記載された数値は、９０果のうち、それらに該当する個体数である。
表２に示すように、葉面散布剤Ｓ１、Ｓ２を使用すると、尻くされ、芯くされ、裂果、及び日焼け果に該当する個体数が少なく、また、糖度が高かった。特に、葉面散布剤Ｓ１を使用すると、尻くされ、芯くされ、裂果、及び日焼け果に該当する個体数が一層少なく、また、糖度が一層高かった。